(57)【要約】【課題】  荷役パレット又は積荷の各種サイズに容易に対応することのできる荷役パレット積荷拘束装置の蓋体を提供することを目的とする。【解決手段】  積荷55の上に載置された蓋体Ａから繰り出される索体Ｓが巻戻し引き締められることにより、積荷55が荷役パレットＰと蓋体Ａとの間で拘束されるものと構成されてなる荷役パレット積荷拘束装置に用いられる蓋体Ａであって、四周枠１と、四周枠補強桟６と、前記索体Ｓを巻き戻す手段を備えた索体収納函１０との組み合わせから構成される。四周枠１と四周枠補強桟６とがアルミ等の軽金属製型材から形成され、型材は、外側面に断面逆Ｕ字状溝部24、24を備えている。連結部材両端のねじ止め板部42、42が、連結される型材の各々の断面逆Ｕ字状溝部24、24に挿通されてねじ止めされることにより、四周枠１のコーナー部又は四周枠１と四周枠補強桟６との連結部において型材どうしが連結される。【選択図】  図１
2010064754.tif 000002
【特許請求の範囲】
【請求項１】
積荷の上に載置された蓋体から繰り出される索体が巻戻し引き締められることにより、積荷が荷役パレットと蓋体との間で拘束されるものと構成されてなる荷役パレット積荷拘束装置に用いられる蓋体であって、
四周枠と、四周枠補強桟と、前記索体を巻き戻す手段を備えた索体収納函との組み合わせからなると共に、
四周枠と四周枠補強桟とがアルミ等の軽金属製型材から形成されていることを特徴とする荷役パレット積荷拘束装置に用いられる蓋体。
【請求項２】
前記四周枠の外周縁部下面に、積荷の横ずれ防止用突出部が突設されている請求項１に記載の荷役パレット積荷拘束装置に用いられる蓋体。
【請求項３】
四周枠のコーナー部又は四周枠と四周枠補強桟との連結部に樹脂カバーが被せられ、該樹脂カバーの外周縁部下面に、積荷の横ずれ防止用突出部が設けられている請求項１に記載の荷役パレット積荷拘束装置に用いられる蓋体。
【請求項４】
前記型材は、少なくとも一側面に縦断面Ｃ字状の溝を有している請求項１ないし請求項３のいずれか１項に記載の荷役パレット積荷拘束装置に用いられる蓋体。
【請求項５】
四周枠コーナー連結部及び四周枠と四周枠補強桟との連結部において、前記型材どうしが、そのＣ字状溝内に固定されるねじ止め板部を両端に有する連結部材を介して連結され、前記ねじ止め板部は、前記型材の縦断面Ｃ字状の溝内を移動しうる形状に形成されている請求項４に記載の荷役パレット積荷拘束装置に用いられる蓋体。
【請求項６】
四周枠、四周枠補強桟及び索体収納函の裏面に、それらに跨って蓋体の略々裏面全体を被覆する保護パネルが設けられている請求項１ないし請求項５のいずれか１項に記載の荷役パレット積荷拘束装置に用いられる蓋体。
【発明の詳細な説明】
【技術分野】
【０００１】
この発明は、荷役パレットの荷崩れ防止用の積荷拘束装置に用いられる蓋体に関する。
【背景技術】
【０００２】
従来、荷役パレットの荷崩れ防止手段として、特許文献１に示されるように、荷役パレットに載置された積荷の上に、四辺にフランジを備えた矩形のキャップ（蓋体）を被せ、キャップから引き出した索体の先端フックを荷役パレットに係止した後、索体を強く引き締めることにより、積荷が荷役パレットと蓋体との間で拘束されるものと構成されてなる荷役パレット積荷拘束装置が提案されている。
【特許文献１】特表２００４−５０３４４２号公報
【発明の開示】
【発明が解決しようとする課題】
【０００３】
しかしながら、上記荷役パレット積荷拘束装置のキャップ（蓋体）は、キャップの天板とフランジ（下向きの四周側壁）とが一体形成されているので、荷役パレット又は積荷のサイズに合わせたサイズの異なる蓋体を製作しようとする場合、そのサイズ毎に、天板とフランジとが一体となった蓋体を製作しなければならず、異なるサイズの蓋体を製作することが困難であった。
【０００４】
この発明は、かかる技術的背景に鑑みてなされたもので、荷役パレット又は積荷の各種サイズに容易に対応することのできる荷役パレット積荷拘束装置の蓋体を提供することを目的としている。
【課題を解決するための手段】
【０００５】
而して、上記目的を達成するために、この発明の荷役パレット積荷拘束装置に用いられる蓋体は、下記［１］〜［６］の構成を有する。
【０００６】
［１］  積荷の上に載置された蓋体から繰り出される索体が巻戻し引き締められることにより、積荷が荷役パレットと蓋体との間で拘束されるものと構成されてなる荷役パレット積荷拘束装置に用いられる蓋体であって、四周枠と、四周枠補強桟と、前記索体を巻き戻す手段を備えた索体収納函との組み合わせからなると共に、四周枠と四周枠補強桟とがアルミ等の軽金属製型材から形成されていることを特徴とする荷役パレット積荷拘束装置に用いられる蓋体。
【０００７】
［２］  前記四周枠の外周縁部下面に、積荷の横ずれ防止用突出部が突設されている前項１に記載の荷役パレット積荷拘束装置に用いられる蓋体。
【０００８】
［３］  四周枠のコーナー部又は四周枠と四周枠補強桟との連結部に樹脂カバーが被せられ、該樹脂カバーの外周縁部下面に、積荷の横ずれ防止用突出部が設けられている前項１に記載の荷役パレット積荷拘束装置に用いられる蓋体。
【０００９】
［４］  前記型材は、少なくとも一側面に縦断面Ｃ字状の溝を有している前項１ないし前項３のいずれかに記載の荷役パレット積荷拘束装置に用いられる蓋体。
【００１０】
［５］  四周枠コーナー連結部及び四周枠と四周枠補強桟との連結部において、前記型材どうしが、そのＣ字状溝内に固定されるねじ止め板部を両端に有する連結部材を介して連結され、前記ねじ止め板部は、前記型材の縦断面Ｃ字状の溝内を移動しうる形状に形成されている前項４に記載の荷役パレット積荷拘束装置に用いられる蓋体。
【００１１】
［６］ 四周枠、四周枠補強桟及び索体収納函の裏面に、それらに跨って蓋体の略々裏面全体を被覆する保護パネルが設けられている前項１ないし前項５のいずれかに記載の荷役パレット積荷拘束装置に用いられる蓋体。
【発明の効果】
【００１２】
［１］の発明によれば、蓋体が四周枠と、四周枠補強桟と、索体を巻き戻す手段を備えた索体収納函との組み合わせからなると共に、四周枠と四周枠補強桟とがアルミ等の軽金属製型材から形成されているので、所期するサイズの蓋体に合わせてアルミ等の軽金属製型材を四周枠用又は四周枠補強桟用の所定長さに切断し、それらを索体収納函とを連結することにより、荷役パレット又は積荷の各種サイズに対応した荷役パレット積荷拘束装置の蓋体を容易に製作できる。
【００１３】
［２］の発明によれば、前記四周枠の外周縁部下面に、積荷の横ずれ防止用突出部が突設されているので、搬送作業時や輸送時に、最上部の積荷と蓋体が横ずれすることに起因する荷崩れを効果的に防止できる。
【００１４】
［３］の発明によれば、四周枠のコーナー部又は四周枠と四周枠補強桟との連結部に樹脂カバーが被せられているので、連結部の外観体裁を良好なものとすることができるとともに、前記コーナー部における型材端面の露出あるいは連結部におけるねじ等の突出を覆い隠すことができ、作業時におけるそれらによる不本意な引っ掛けを防止できる。
【００１５】
また、樹脂カバーの外周縁部下面に、積荷の横ずれ防止用突出部が設けられているので、搬送作業時や輸送時に、最上部の積荷と蓋体が横ずれすることに起因する荷崩れを効果的に防止できる。
【００１６】
［４］の発明によれば、型材側面の縦断面Ｃ字状の溝に樹脂カバーの一部を嵌め合わせるものとして、型材に対する樹脂カバーの固定構造を簡素化することができる。また、該縦断面Ｃ字状の溝に装飾用モールを挿入することにより接着剤やねじ等の固定手段を要することなく、四周枠を装飾できる。
【００１７】
［５］の発明によれば、四周枠コーナー連結部及び四周枠と四周枠補強桟との連結部において、前記型材どうしが、そのＣ字状溝内に固定されるねじ止め板部を両端に有する連結部材を介して連結されているので、連結部における補強がなされて蓋体の強度が向上されると共に、前記ねじ止め板部は、前記型材の縦断面Ｃ字状の溝内を移動しうる形状に形成されているので、蓋体の組立時に型材に対する連結部材の挿通がスムーズに行え、組立作業の迅速化に寄与する。
【００１８】
［６］の発明によれば、四周枠、四周枠補強桟及び索体収納函の裏面に、それらに跨って蓋体の略々裏面全体を被覆する保護パネルが設けられているので、積荷上面が保護されることはもとより、蓋体に対する拘束力が、下方の積荷の四周枠及び四周枠補強桟に対応する部位に集中することなく積荷全体に分散されるので、積荷の局部的変形が防止される。
【発明を実施するための最良の形態】
【００１９】
以下、この発明に係る荷役パレット積荷拘束装置に用いられる蓋体の実施形態を、図面を参照して具体的に説明する。なお、原則として以下の説明において索体収納函に向かって左右方向を横方向、索体収納函の前後方向と縦方向と呼ぶ。
【００２０】
図１は、この発明に係る蓋体が用いられている荷役パレット積荷拘束装置の斜視図、
図２は、蓋体の四周枠と四周枠補強桟との連結部及び該連結部に被せられる樹脂カバーの斜視図、図３は、四周枠コーナー部及び該コーナー部に被せられる樹脂カバーの斜視図、
図４（イ）は、四周枠コーナー部の概略平面図、（ロ）は、四周枠と四周枠補強桟との連結部の概略平面図、図５は、図１のＶ−Ｖ線断面図、図６は、この発明に係る蓋体及び積荷の一部の正面図、図７は、図６のIIV−IIV線断面図、図８は、蓋体の組立説明図である。
【００２１】
図１に示すように、蓋体（Ａ）は、四周枠（１）と、四周枠補強桟（６）と、四周枠（１）及び四周枠補強桟（６）とに支持された前後一対の索体収納函（１０）（１０）と、四周枠（１）コーナー部及び四周枠（１）と四周枠補強桟（６）との連結部に被せられた樹脂カバー（１１）（１２）とを備えている。
【００２２】
四周枠(１)は、蓋体（Ａ）の略々一辺分の長さから補強桟（６）の２本分の幅を引いた長さに設定され互いに対向する第１縦枠部（２）及び第２縦枠部（２）と、四周枠(１)のコーナーにおいて前記第１縦枠部（２）又は第２縦枠部（２）に連結された第１横枠部（４）（４）又は第２横枠部（５）（５）とより構成されている。
【００２３】
第２横枠部（５）が第１横枠部（４）より短く形成されているのは、図１に示すように索体収納函（１０）の幅方向中央より向かって左側寄りの位置から繰り出される索体（Ｓ）を荷役パレット（Ｐ）の横方向中央部において係止させたいがためである。したがって、索体（Ｓ）が索体収納函（１０）の幅方向中央部から繰り出すものと構成されている場合には、第１横枠部（４）と第２横枠部（５）とを同一長さのものとすることができる。
【００２４】
これら第１〜第２縦枠部（２）（２）及び第１〜第２横枠部（４）（５）は断面形状が同一のアルミニウム製型材からなるもので、図２、図５等に示すように、断面形状において逆Ｕ字状上半部（２０）と、該逆Ｕ字状上半部（２０）に連なり該逆Ｕ字状上半部（  ）より細幅の凹状下半部（２１）とを備え、該凹状下半部（２１）の長手方向両側に断面Ｃ字状溝（２４）が形成されている。
【００２５】
前記凹状下半部（２１）は、その上端において外方に向かって突出し前記逆Ｕ字状上半部（２０）に繋がる一対の狭幅の第１水平部（２３）（２３）と、底壁（２５）から側方に向かって突出する第２水平部（２６）とを備えている。
【００２６】
また、前記第１水平部（２３）と逆Ｕ字状上半部（２０）との交差部から下向き突条部（２７）が突設される一方、前記第２水平部（２６）の先端から上向き突条部（２８）が突設され、前記断面Ｃ字状溝（２４）は、これら下向き突条部（２７）と、上向き突条部（２８）と、凹状下半部（２１）の側壁（２１ａ）（２１ｂ）とにより形成されている。
【００２７】
また、外側の上向き突条部（２８）は、図５に示すように上端部が内側に案内用斜面部（２８ａ）を備えた断面先細り状に形成されていると共に、下方にはパネル縁止め用突条部（２９）が延設されている。
【００２８】
さらに、凹状下半部（２１）の側壁内面下部に、互いに対向する一対の補強リブ（３０）（３０）が突設されている。
【００２９】
前記四周枠補強桟（６）は、その一端を前記第１縦枠部（２）又は第２縦枠部（２）に突き合わされ連結された第１〜第２横桟部（７）（８）（７）（８）と、索体収納函（１０）（１０）に連結された縦桟部（９）とから構成されている。
【００３０】
これら四周枠補強桟（６）の第１〜第２横桟部（７）（８）及び縦桟部（９）は、同一のアルミニュウム製型材からなり、その断面形状は前記四周枠の型材と略々同一であり、相違点は四周枠(１)の型材に設けられているパネル縁止め用突条部（２９）を備えていないところにある。
【００３１】
四周枠（１）と四周枠補強桟（６）との連結は、図２に示すように第１縦枠部（２）又は第２縦枠部（２）の側面に第１〜第２のいずれかの横桟部（７）（８）を突き合わせ、平面視山形状の連結部材（４０）を介して行われている。
【００３２】
前記連結部材（４０）は、図２〜図４に示すように、ステー（４１）の両側にねじ孔を有するねじ止め板部（４２）（４２）が連設されてなるもので、両側のねじ止め板部（  ４２）（４２）は、ステー（４１）から４５度の角度をもって曲折されており、互いのねじ止め板部（４２）（４２）は、その仮想延長線上において直交する形状に形成されている。
【００３３】
前記ステー（４１）の高さは、前記断面Ｃ字状溝（２４）の開口部の高さより僅かに低く設定される一方、ねじ止め板部（４２）は、前記断面Ｃ字状溝（２４）内を自由に移動しうると共に断面Ｃ字状溝（２４）の開口部から突出できない形状に形成されている。
【００３４】
この連結部材（４０）の一方のねじ止め板部（４２）を第１又は第２縦枠部（２）にねじ止めし、他方のねじ止め板部（４２）を第１横桟部（７）又は第２横桟部（８）にねじ止めすることにより、第１縦枠部（２）又は第２縦枠部（２）と第１横桟部（７）又は第２横桟部（８）とが連結されるのである。この連結は、図４（ロ）に示すように、第１横桟部（７）及び第２横桟部（８）の各々の両側面において行われている。
【００３５】
この連結部には、図１、図２等に示すように平面視Ｔ字状樹脂カバー（１１）が被せられている。このＴ字状樹脂カバー（１１）は、若干の弾性を有する合成樹脂から形成されてなるもので、第１縦枠部（２）又は第２縦枠部（２）と第１横桟部（７）又は第２横桟部（８）との平面視Ｔ字状突き合わせ状態に対応する溝部（１１ａ）を有する共に、前記連結部材（４０）を覆い隠す形状に形成されている。
【００３６】
また、Ｔ字状樹脂カバー（１１）の外側壁（１１ｂ）の下端部には、積荷の横ずれ防止部（１１ｃ）が下向きに延設されている。この横ずれ防止部（１１ｃ）の内面は、上部から下部に向けて先細りテーパー面に形成され、蓋体（Ａ）どうしの積み重ねが行いやすくなされている。
【００３７】
さらに、図５に示すように、このＴ字状樹脂カバー（１１）の外壁部（１１ｂ）内面であって第１縦枠部（７）又は第２縦枠部（８）の外側の壁面の上向き突条（２８）に対応する部位には、上向き突条（２８）に係止する爪部（１１ｄ）が下向きに開いた態様で突設されており、Ｔ字状樹脂カバー（１１）を連結部に強く押しつけるように被せた際に、爪部（１１ｄ）が上向き突条部（２８）の案内用斜面部（２８ａ）により拡開され、Ｔ字状樹脂カバー（１１）を構成する合成樹脂の弾性により、前記上向き突条部（２８）が前記爪部（１１ｄ）とＴ字状樹脂カバー外側壁（１１ｂ）との間に強く挟み込まれ、Ｔ字状樹脂カバー（１１）が連結部に仮固定されれる。さらに、図２に示すように所要箇所をねじ止めすることにより、Ｔ字状樹脂カバー（１１）が第１縦枠部（２）又は第２縦枠部（２）と第１横桟部（７）又は第２横桟部（８）とに固定されている。
【００３８】
四周枠（１）のコーナー部における第１又は第２縦枠部（２）と第１横枠部（４）又は第２横枠部（５）との連結は、図３及び図４（イ）に示すように、第１又は第２縦枠部（２）と第１横枠部（４）又は第２横枠部（５）とをその端部において一方の端面開口部が他方の型材の側面に突き合わないように、各々の上部の端部内側どうしが当接する態様にて、連結部材（４０）（４０）を用いて連結されている。
【００３９】
該連結部材（４０）は、先の第１縦枠部（２）又は第２縦枠部（２）と第１横桟部（７）又は第２横桟部（８）との連結に用いた連結部材（４０）と同形同大の連結部材（４０）を用いることにより行われている。図４（イ）に示すように、一つの連結部材（４０）は、そのねじ止め板部（４２）（４２）が第１又は第２縦枠部（２）と第１横枠部（４）又は第２横枠部（５）の内側の断面Ｃ字状溝（２４）内にねじ止めされる一方、他の連結部材（４０）が外側の断面Ｃ字状溝（２４）内にねじ止めされている。
【００４０】
また、この連結部には、平面視く字状の樹脂カバー（１２）が被せられている。このく字状樹脂カバー（１２）は、先のＴ字状樹脂カバー（１１）と同様に若干の弾性を有する合成樹脂から形成されてなるもので、第１又は第２縦枠部（２）と第１横枠部（４）又は第２横枠部（５）の各端部に対応する溝部（１２ａ）を有する共に、前記連結部材（４０）（４０）を覆い隠す形状に形成されている。
【００４１】
さらに、この平面視く字状樹脂カバー（１２）の外側壁（１２ｂ）の下端部には、積荷の横ずれ防止部（１２ｃ）が下向きに延設されている。この横ずれ防止部（１２ｃ）の内面は、上部から下部に向けて先細りテーパー面に形成され、蓋体（Ａ）どうしの積み重ねが行いやすくなされている。
【００４２】
また、図示省略するが、該く字状樹脂カバー（１２）の溝部（１２ａ）内面に、前記Ｔ字状樹脂カバー（１１）と同様に、第１縦枠部（２）又は第２縦枠部（２）とと第１横枠部（４）又は第２横枠部（５）の上向き突条部（２８）に係止する爪部が設けられており、連結部に強く押しつけることにより、く字状樹脂カバー（１２）が仮固定されるものである。さらに、図３に示すように所要箇所をねじ止めすることにより、く字状樹脂カバー（１２）がコーナー部に固定されている。
【００４３】
索体収納函（１０）は、その内部に所定長さの索体（Ｓ）を巻き込み、必要に応じて索体（Ｓ）を繰り出せるようになされた手段を有するもので、索体巻き込み手段（図示省略）と、索体巻き込み手段を常に索体巻き込み方向に付勢する付勢手段（図示省略）と、繰り出した索体（Ｓ）の巻き込み（巻戻し）を停止させるロック部（図示省略）と、該ロック部のロック状態を解除する操作部（４５）とを備えている。
【００４４】
この索体収納函（１０）においては、その内部の索体巻き込み手段やその他の手段の配置関係上、索体（Ｓ）が索体収納函（１０）の正面中央部より、やや左方に偏よった位置から繰り出されるものとなされているが、索体（Ｓ）は、下方に垂下した状態の下で、荷役パレット（Ｓ）の中央桟（４７）に真っ直ぐに向かうように設定されている。
【００４５】
また、索体（Ｓ）の先端には、左右一対のフック（４６）（４６）が設けられており、該フック（４６）（４６）は、荷役パレット（Ｐ）の中央桟（４７）の左右に振り分けられて荷役パレット（Ｐ）のデッキ板（４８）裏面に係止されるものとなされている。
【００４６】
索体収納函（１０）は、その左右両側面から挿入された第１〜第２横枠部（４）（５）及び第１〜第２横桟部（７）（８）とにより支持され所定位置に固定されている。図６に示すように、第１横枠部（７）及び第２横枠部（８）は、索体収納函（１０）内を貫通せず、索体収納函（１０）の内部に少し挿入された位置に止まっている。
【００４７】
その補強のために、図７に示すように、第２横枠部（５）の底壁（２５）と補強リブ（３０）（３０）との間の空間に断面方形の補強パイプ（５０）が、第２横枠部（５）の全長に及び、索体収納函（１０）の下部を貫通すると共に、さらに第１横枠部（４）の底壁と補強リブとの間の空間に、第２横枠部（５）と同様に第１横枠部（４）の全長に及んで延びている。
【００４８】
而して、上記蓋体（Ａ）の組立方法の一例を図８に基づいて簡単に説明する。先ず、一対の索体収納函（１０）（１０）の各々に、その側方から第１横枠部（４）、第２横枠部（５）、第１横桟部（７）及び第２横桟部（８）を挿入固定し、一方の索体収納函（１０）には、縦補強桟部（９）を挿入固定する。
【００４９】
次に、第１及び第２縦枠部（２）（２）を、一方の索体収納函（１０）に固定された第１横桟部（７）及び第２横桟部（８）端部の連結部材（４０）のねじ止め板部（４２）（４２）、第１及び第２横枠部（７）（８）端部の連結部材（４０）のねじ止め板部（４２）（４２）を順次相対的に断面Ｃ字状溝（２４）（２４）に挿通させ、ねじ止め板部（４２）（４２）…を第１及び第２縦枠部（２）（２）の断面Ｃ字状溝（２４）（２４）にねじ止め固定する。
【００５０】
その後、他方の索体収納函（１０）に固定された第１横桟部（７）及び第２横桟部（８）端部の連結部材（４０）のねじ止め板部（４２）（４２）、第１横枠部（２）及び第２横枠部（３）端部の連結部材（４０）のねじ止め板部（４２）（４２）を、順次相対的に前記第１及び第２縦枠部（２）（２）の断面Ｃ字状溝（４２）（４２）に挿通させると共に、縦桟部（９）を索体収納函（１０）に挿入固定し、前記ねじ止め板部（４２）（４２）…を第１及び第２縦枠部（２）（２）の断面Ｃ字状溝（２４）（２４）にねじ止め固定する。
【００５１】
最後に、裏側に保護パネル（５１）を嵌め合わせ、所要箇所をねじ止めすることにより、蓋体（Ａ）の組立が完了する。
【００５２】
このようにして組み立てられた蓋体（Ａ）の使用方法について説明すると、従来の荷役パレット積荷拘束装置に用いられる蓋体と同様に、図１に示すように、先ず蓋体（Ａ）を荷役パレット（Ｐ）上の積荷（５５）上面に載置する。次に、索体（Ｓ）を索体収納函（１０）から繰り出し、索体（Ｓ）先端のフック（４６）（４６）をデッキ板（４８）に係止させると、索体収納函（１０）内の索体巻き込み手段が付勢手段により索体巻き込み方向に付勢されて、索体（Ｓ）が巻き込み方向に巻き戻されることにより、積荷（５５）が荷役パレット（Ｐ）と蓋体（Ａ）との間で拘束されるのである。
【００５３】
この実施形態の索体収納函（１０）の巻き込み手段には格別の引き締め手段が設けられていないが、この索体収納函（１０）においては、先端のフック（４６）（４６）をデッキ板（４８）に係止されて緊張状態にある索体（Ｓ）を、手で強く巻き込み方向に引っ張ることにより、僅かでも索体（Ｓ）を索体収納函（１０）内に巻き込んで付勢手段による付勢を少しでも効かせて、索体（Ｓ）を引き締めることができる。
【００５４】
このような積荷（５５）の拘束状態において、Ｔ字状樹脂カバー（１１）及びく字状樹脂カバー（１２）の外周縁部下面には、積荷（５５）の横ずれ防止用突出部（１１ｃ）又は（１２ｃ）が設けられているので、積荷（５５）の最上部が、蓋体が横ずれすることに起因する荷崩れを効果的に防止できる。
【００５５】
また、連結部にＴ字状樹脂カバー（１１）及びく字状樹脂カバー（１２）が被せられることにより、前記コーナー部における型材端面の露出あるいは連結部におけるねじ等の突出を覆い隠すことができ、作業時におけるそれらによる不本意な引っ掛けを防止できる。
【００５６】
型材側面の縦断面Ｃ字状の溝（４２）に樹脂カバー（１１）（１２）の一部を嵌め合わせるものとして、樹脂カバー（１１）（１２）を固定しやすくすることができるとともに、該縦断面Ｃ字状の溝に（４２）に装飾用モールを挿入することにより接着剤やねじ等の固定手段を要することなく、四周枠（１）を装飾できる。
【００５７】
四周枠コーナー連結部及び四周枠（１）と四周枠補強桟（７）（８）との連結部において、前記型材どうしが、その断面Ｃ字状溝内（４２）に固定されるねじ止め板部（４２）（４２）を両端に有する連結部材（４０）を介して連結されているので、連結部における補強がなされて蓋体（Ａ）の強度が向上されると共に、前記ねじ止め板部（４２）は、前記型材の縦断面Ｃ字状の溝内を移動しうる形状に形成されているので、蓋体の組立時に型材に対する連結部材の挿通がスムーズに行え、組立作業の迅速化に寄与する。
【００５８】
さらに、四周枠（１）、四周枠補強桟（７）（８）及び索体収納函（１０）の裏面に、それらに跨って蓋体（Ａ）の略々裏面全体を被覆する保護パネル（５１）が設けられているので、積荷（５５）上面が保護されることはもとより、蓋体に対する拘束力が、下方の積荷の四周枠及び四周枠補強桟に対応する部位に集中することなく積荷全体に分散されるので、積荷の局部的変形が防止される。
【００５９】
而して、この実施形態の蓋体は平面視正方形であるが、例えば、四周枠（１）の第１〜第２縦枠部（２）（２）に実施形態のものより長くしたものを用いると共に、それに対応させて実施形態のものより長くした縦桟（９）を用いることにより、他の部材を変更することなく、平面視長方形の蓋体を製作することができる。さらに、それらに合わせるように、横桟及び横枠に実施形態のものより長いものを用いることにより、実施形態の蓋体ようり大きい正方形の蓋体を製作することができる。
【００６０】
なお、上記実施形態においては、連結部に被せられたＴ字状樹脂カバー（１１）及びく字状樹脂カバー（１２）に、積荷（５５）の横ずれ防止用突出部（１１ｃ）（１２Ｃ）が
設けられているが、横ずれ防止用突出部を四周枠（１）それ自体に設けてもよい。すなわち四周枠の型材のパネル縁止め用突条部（２９）をさらに下方にかつ開き気味に延設したものとしても良い。
【図面の簡単な説明】
【００６１】
【図１】この発明に係る蓋体が用いられている荷役パレット積荷拘束装置の斜視図である。
【図２】蓋体四周枠と四周枠補強桟との連結部及び該連結部に被せられる樹脂カバーの斜視図である。
【図３】蓋体コーナー部及び該コーナー部に被せられる樹脂カバーの斜視図である。
【図４】（イ）は、蓋体コーナー部の概略平面図、（ロ）は、四周枠と四周枠補強桟との連結部の概略平面図である。
【図５】図１のＶ−Ｖ線断面図である。
【図６】この発明に係る蓋体及び積荷の一部の正面図である。
【図７】図６のIIV−IIV線断面図である。
【図８】蓋体の組立説明図である。
【符号の説明】
【００６２】
Ａ・・・・・・・蓋体
Ｐ・・・・・・・荷役パレット
Ｓ・・・・・・・索体
１・・・・・・・四周枠
６・・・・・・・四周枠補強桟
１０・・・・・・索体収納函
１１・・・・・・Ｔ字状樹脂カバー
１１ｃ・・・・・横ずれ防止用突出部
１２・・・・・・く字状樹脂カバー
１２ｃ・・・・・横ずれ防止用突出部
２４・・・・・・断面Ｃ字状溝
４０・・・・・・連結部材
４２・・・・・・ねじ止め板部
５１・・・・・・保護パネル
５５・・・・・・積荷
【図１】
2010064754.tif 000003
【図２】
2010064754.tif 000004
【図３】
2010064754.tif 000005
【図４】
2010064754.tif 000006
【図５】
2010064754.tif 000007
【図６】
2010064754.tif 000008
【図７】
2010064754.tif 000009
【図８】
2010064754.tif 000010